(57)【要約】【課題】            被介護者である患者等には、ベッド柵をベッドフレームから取り外せなくするとともに、介護者等には、簡単操作にて速やかにベッドフレームから取り外したり、再び装着したりすることができるベッド柵の取付構造を提供する。【解決手段】        ベッドのベッドフレームに垂直方向に装着孔が貫通して設けられ、この装着孔にベッド柵に固定されて垂下する中空の筒状ステーを挿入して着脱自在に取り付けるベッド柵の取付構造であって、スリットが設けられて拡縮自在の筒体によりこの通過を規制したり、許容してベッド柵の着脱を行う。【選択図】          図３
2008245950.tif 000002
【特許請求の範囲】
【請求項１】
ベッドのベッドフレームに垂直方向に装着孔が貫通して設けられ、この装着孔にベッド柵に固定されて垂下する中空の筒状ステーを挿入して着脱自在に取り付けるベッド柵の取付構造であって、
前記装着孔は、貫通した下端が縮径部に形成されており、前記ステー内の下方には、下端が拡径部に形成され、下端より拡径部を含み途中まで複数のスリットが長手方向に設けられて拡縮自在の筒体が同心的に挿入されて、上方が筒状ステーに固定され、下端側が筒状ステーの下端より下方に突出し、しかも拡径部が前記装着孔の縮径部より下方位置として設けられ、
前記中空の筒状ステーには、操作軸がステー内に設けた筒体も貫通して進退自在に貫入され、
該操作軸の下端には、コーン状ストッパが固着されて前記装着孔より突出した筒体下端の拡径部に位置して設けられ、
ステー内には操作軸を常に上方に付勢するばねが設けられ、
前記操作軸は、ステー内に設けたばねで常に上方に付勢されているが、その先端に固設されたコーン状ストッパが筒体下端の拡径部において係止され位置の保持がなされていることを特徴とするベッド柵の取付構造。
【請求項２】
前記操作軸の上端には、該操作軸を進退操作するための操作手段が設けられていることを特徴とする請求項１記載のベッド柵の取付構造、
【請求項３】
ベッドのベッドフレームに垂直方向に装着孔が貫通して設けられ、この装着孔にベッド柵に固定されて垂下する中空の筒状ステーを挿入して着脱自在に取り付けるベッド柵の取付構造であって、
前記装着孔は、貫通した下端が縮径部に形成されており、前記ステー内の下方には、下端が拡径部に形成され、下端より拡径部を含み途中まで複数のスリットが長手方向に設けられて拡縮自在の筒体が同心的に挿入されて、上方が筒状ステーに固定され、下端側が筒状ステーの下端より下方に突出し、しかも拡径部が前記装着孔の縮径部より下方位置として設けられ、
前記中空の筒状ステーには、操作軸がステー内に設けた筒体も貫通して進退自在に貫入され、
該操作軸の下端には、コーン状ストッパが固着されて前記装着孔より突出した筒体下端の拡径部に位置して設けられ、
前記操作軸には、途中にねじが設けられ、このねじがステー内に固着されたナットに螺合され、操作軸を正逆回動させることによって進退可能となっていることを特徴とするベッド柵の取付構造。
【請求項４】
前記操作軸の上端には、該操作軸を回動操作して進退させる操作部が設けられていることを特徴とする請求項３記載のベッド柵の取付構造。
【請求項５】
前記コーン状ストッパは、操作軸の下端に移動可能に装着され、このコーン状ストッパの側壁には、上端より縦方向に向かい途中より横方向に折曲するピン孔が設けられ、操作軸より突出するピンが、横方向のピン孔に位置するとこの上下動を規制し、縦方向のピン孔に位置するとコーン状ストッパの可動が可能となることを特徴とする請求項１または３記載のベッド柵の取付構造。
【請求項６】
前記コーン状ストッパまたはコーン状ストッパを貫通した操作軸には、操作軸を引っぱりまたは回動させ操作軸およびコーン状ストッパを下動させる摘みが設けられていることを特徴とする請求項１または３記載のベッド柵の取付構造。
【請求項７】
前記操作軸には、ラッチ機構が設けられ、操作軸が下動しラッチ機構部分が筒体下端より外出すると拡大し筒体下端に係止して上動をロックすることを特徴とする請求項６記載のベッド柵の取付構造。
【発明の詳細な説明】
【技術分野】
【０００１】
本発明は、介護ベッド等のベッドに取り付けられて、就寝者や被介護者、或いは寝具などがベッド上から転落するのを防止するベッド柵の取付構造に関する。
【背景技術】
【０００２】
就寝者、被介護者を含む患者、寝具などが床上へ落下するのを防止するために、ベッド側部等のベッドフレーム上にベッド柵が取り付けられている。一方、ベッドに対する就寝者や被介護者の上り下りには、そのベッド柵が障害となるため、必要に応じてこのベッド柵がベッドフレームに対して着脱自在な構成とされている。
【０００３】
このベッド柵の着脱構造には、例えばベッドフレームに設けられた保持孔にベッド柵に一体の支柱を挿入および脱抜自在にするものがある。また、ベッドフレーム内に収納した傾斜面を有する可動片を、レバー操作によって固定側部材の傾斜面に圧接させ、この圧接により滑りながらオフセットする可動片を保持孔の内周面に圧接保持させることにより、ベッドフレームにベッド柵を保持可能にするものがある（例えば、特許文献１参照）。
【０００４】
さらに、ベッドフレームに設けられた係止孔に、レバー操作による圧縮操作によって弾性変形部材を保持孔の内周に密接させることにより、ベッドフレームにベッド柵を保持可能にするものがある（例えば、特許文献２参照）。
【特許文献１】特開平８−１９６５７７号公報
【特許文献２】特開平９−２０６３３７号公報
【発明の開示】
【発明が解決しようとする課題】
【０００５】
しかしながら、介護施設で使用される介護ベッド、例えば前述のようにベッドフレームの保持孔にベッド柵の支柱を単に挿し込んだ介護ベッドでは、痴呆症の患者がベッド柵をベッドフレームから引き抜いて暴れることがあり、介護者に危害が及ぶ危険があった。
【０００６】
また、特許文献１、２に記載のベッド柵にあっても、これを患者が長時間または繰り返し揺り動かした場合には、ベッドフレームから外れる場合があった。
これに対して、前記ベッド柵の支柱をベッドフレームに対し、ボルトなどの締結具を用いて固定する方法が考えられるが、ベッドに対する乗り降りの度に、いちいちボルトを緩めて、ベッド柵をベッドフレームから取り外す作業などが面倒であるなどの不都合があった。
【０００７】
本発明は、前記のような従来の不都合を解消するものであり、被介護者である患者等には、ベッド柵をベッドフレームから取り外せなくするとともに、介護者等には、簡単操作にて速やかにベッドフレームから取り外したり、再び装着したりすることができるベッド柵の取付構造を得ることを目的とする。
【課題を解決するための手段】
【０００８】
前記課題を解決するため、本発明のベッド柵の取付構造は、ベッドのベッドフレームに垂直方向に装着孔が貫通して設けられ、この装着孔にベッド柵に固定されて垂下する中空の筒状ステーを挿入して着脱自在に取り付けるベッド柵の取付構造であって、
前記装着孔は、貫通した下端が縮径部に形成されており、前記ステー内の下方には、下端が拡径部に形成され、下端より拡径部を含み途中まで複数のスリットが長手方向に設けられて拡縮自在の筒体が同心的に挿入されて、上方が筒状ステーに固定され、下端側が筒状ステーの下端より下方に突出し、しかも拡径部が前記装着孔の縮径部より下方位置として設けられ、
前記中空の筒状ステーには、操作軸がステー内に設けた筒体も貫通して進退自在に貫入され、
該操作軸の下端には、コーン状ストッパが固着されて前記装着孔より突出した筒体下端の拡径部に位置して設けられ、
ステー内には操作軸を常に上方に付勢するばねが設けられ、
前記操作軸は、ステー内に設けたばねで常に上方に付勢されているが、その先端に固設されたコーン状ストッパが筒体下端の拡径部において係止され位置の保持がなされていることを特徴とする。
【０００９】
上記構成によればばねが操作軸を常に上方に付勢しているので、コーン状ストッパも上方に引っぱられて筒体下端の拡径部において、該拡径部を拡径する方向に押圧しているので、該拡径部は縮径することができず、装着孔下端の縮径部より径太の状態を維持し、ステーを引き抜こうとしても筒体下端の拡径部が装着孔下端の縮径部に係止されて通過できず引き抜くことができない。これに対しこの状態から操作軸をばねの付勢力に抗して下動させると、コーン状ストッパも筒体下端の拡径部より下方に移動するので、スリットにより拡縮自在となっている筒体は縮径可能となるので拡径部も含め装着孔下端の縮径部を通過可能となり、この状態のままステーを上方に引き抜くと、即ち、ベッド柵を引き抜くと、筒体は拡径部も含め上方に移動し、まず先行して筒体が上方に移動すると装着孔下端の縮径部も、筒体の肉厚の分だけ広い通路となるので、それに続くコーン状ストッパも通過可能となり、ベッド柵は引き抜き取り外しできるし、また、挿入して、取り付けることもできる。これによりベッド柵の着脱が操作軸を押圧して下動させるという簡単な操作で迅速、容易に行うことができる。
【００１０】
また、本発明のベッド柵の取付構造における前記操作軸の上端には、該操作軸を進退操作するための操作手段が設けられていることを特徴とする。
操作手段としては、押しボタンやレバー等を例示できる。これにより前記操作軸の進退操作（例えば、押し下げ操作）を容易に実施し、ベッド柵を取外し、取付けを容易に行うことができる。
【００１１】
また、本発明のベッド柵の取付構造は、ベッドのベッドフレームに垂直方向に装着孔が貫通して設けられ、この装着孔にベッド柵本体に固定されて垂下する中空の筒状ステーを挿入して着脱自在に取り付けるベッド柵の取付構造であって、
前記装着孔は、貫通した下端が縮径部に形成されており、前記ステー内の下方には、下端が拡径部に形成され、下端より拡径部を含み途中まで複数のスリットが長手方向に設けられて拡縮自在の筒体が同心的に挿入されて、上方が筒状ステーに固定され、下端側が筒状ステーの下端より下方に突出し、しかも拡径部が前記装着孔の縮径部より下方位置として設けられ、
前記中空の筒状ステーには、操作軸がステー内に設けた筒体も貫通して進退自在に貫入され、
該操作軸の下端には、コーン状ストッパが固着されて前記装着孔より突出した筒体下端の拡径部に位置して設けられ、
前記操作軸には、途中にねじが設けられ、このねじがステー内に固着されたナットに螺合され、操作軸を正逆回動させることによって進退可能となっていることを特徴とする。
【００１２】
これにより操作軸は、その操作軸のねじがステー内に固着されたナットに螺合されているので、操作軸を正逆回動させることで進退させることができる。従って、通常は、操作軸先端のコーン状ストッパが筒体下端の拡径部に位置して該拡径部を拡径する方向に押圧し、該拡径部が縮径できないようにしているため、拡径部は装着孔下端の縮径部より径太の状態が維持され、ステーを引き抜こうとしても筒体下端の拡径部が装着孔下端の縮径部に係止されて通過できず引き抜くことができないが、操作軸を進出方向に回動させると、操作軸が下動し、それによりコーン状ストッパも筒体下端の拡径部から下方に移動するので、スリットにより拡縮自在となっている筒体は、拡径部も含め縮径可能となるので、拡径部も含め装着孔下端の縮径部を通過可能となり、ステーを上方へ引き抜くと、即ち、ベッド柵を上方に引き抜くと、筒体は拡径部も含め上方に移動し、まず先行して筒体が上方に移動すると装着孔下端の縮径部も、筒体の肉厚の分だけ広い通路となるので、それに続くコーン状ストッパも通過可能となり、ベッド柵を引き抜き取外しできるし、また、挿入して取付けることもできる。従って、ベッド柵の着脱が操作軸を回動させるという簡単な操作で実施することができる。
【００１３】
また、この発明のベッド柵の取付構造における前記操作軸の上端には、該操作軸を回動操作して進退させる操作部が設けられていることを特徴とする。
操作部としては、例えば、６角レンチ等の操作治具の装着部を挙げることができる。これにより操作軸の回動が容易となり、操作軸を回動しての進退（昇降）操作を簡単かつ迅速に行うことができる。
【００１４】
また、この発明のベッド柵の取付構造は、前記コーン状ストッパは、操作軸の下端に移動可能に装着され、このコーン状ストッパの側壁には、上端より縦方向に向かい途中より横方向に折曲するピン孔が設けられ、操作軸より突出するピンが、横方向のピン孔に位置するとこの上下動を規制し、縦方向のピン孔に位置するとコーン状ストッパの可動が可能となることを特徴とする。
【００１５】
この構成によりベッド柵の取付状態のときには、コーン状ストッパは、ピンを横方向のピン孔に位置させて位置の保持を確保することができるので、この時はコーン状ストッパが筒体下端の拡径部に位置するので、ベッド柵は引き抜くことができないが、コーン状ストッパを回動させ縦方向のピン孔にピンの位置を合わせると、コーン状ストッパは下動が可能となり、従って、コーン状ストッパを下方に移動させたり、または下動させて取り外すことで、ベッド柵を上方に引き抜くことができる。これにより緊急時にベッド柵の取外しをより迅速、容易に実施することができる。
【００１６】
さらに、この発明のベッド柵の取付構造は、前記コーン状ストッパまたはコーン状ストッパを貫通した操作軸には、操作軸を引っぱりまたは回動させ操作軸およびコーン状ストッパを下動させる摘みが設けられていることを特徴とする。
【００１７】
この構成により通常は、コーン状ストッパが筒体下端の拡径部に位置してベッド柵は引き抜くことはできないが、摘みにより操作軸を引っぱったり、回動させて、操作軸を下動させ、コーン状ストッパを筒体下端の拡径部から下方に引き下げることができ、従って、コーン状ストッパを下方に移動させることで、ベッド柵を上方に引き抜くことができる。これにより緊急時にベッド柵の取外しをより迅速、容易に実施することができる。
【００１８】
また、この発明のベッド柵の取付構造は、前記操作軸には、ラッチ機構が設けられ、操作軸が下動しラッチ機構部分が筒体下端より外出すると拡大し筒体下端に係止して上動をロックすることを特徴とする。
これによりベッド柵を引き抜き取外す時、または挿入し取付ける時には、それが可能な状態に保持することができ、取外し、取付けの操作が容易となる。
【発明の効果】
【００１９】
本発明のベッド柵の取付構造によれば、次のような効果を奏する。
（１）本発明は、操作軸の下端に固着されたコーン状ストッパが、筒体下端の拡径部に位置して、装着孔下端の縮径部の内径より径太に保持するので、ベッド柵はベッドフレームに取付けられた状態を維持し、ベッド柵を取外そうとしても、また、ベッド柵を揺らしても、取り外せず、信頼の高い取付けとなる。
（２）一方、ベッド柵を取り外す時は、操作軸を押し下げたり、回動操作するだけで、ベッドフレームより引き抜いて容易に取り外すことができる。
（３）従って、本発明によれば、介護施設などで患者が暴れるなどしてベッド柵をベッドフレームから取り外そうとしても、容易に取り外すことができず、一方、介護者等には、簡単操作にて速やかにベッドフレームから取り外すことができる。
【発明を実施するための最良の形態】
【００２０】
以下、本発明の実施の形態について図面と共に詳細に説明する。図１は、本発明の実施の形態を示す全体斜視図、図２は、本発明の実施の形態を示すベッド柵取付構造の要部正面図、図３は、本発明の実施の形態を示すベッドの取付構造の要部断面図、図４は、本発明の実施の形態を示すベッド柵取付構造の要部分解斜視図、図５は、本発明の実施の形態にかかるベッド柵取付構造の着脱工程を、工程順（ａ）（ｂ）（ｃ）（ｄ）に示す要部断面図である。
【００２１】
本発明のベッド柵の取付構造は、図１に示すようにベッドＢのベッドフレーム１に垂直方向に装着孔２が貫通して設けられ、この装着孔２にベッド柵６に固定して垂下する中空の筒状ステー７を挿入して着脱自在に取付けるものである。装着孔２は、図２に示すように貫通した下端が縮径部３に形成されている。本実施の形態では、ベッドフレーム１は、例えば、角筒状鋼材等からなり、このベッドフレーム１に図２に示すように取付孔４が鉛直方向に設けられ、この取付孔４にスリーブ５が嵌合され、このスリーブ５が装着孔２となっている。このスリーブ５は、上端にフランジ部５ａが形成され、このフランジ部５ａが取付孔４周辺のベッドフレーム１上面に支持され、下端が縮径方向に絞り加工されて、下方の取付孔４周辺にカシメ５ｂられて固定され、取付けられている。この縮径方向に絞り加工されたカシメ部分５ｂが、本例では装着孔２の縮径部３となっている。
【００２２】
装着孔２に挿入するベッド柵６の筒状ステー７は中空であり、このステー７内の下方には、図３に示すように筒体８が同心的に配設される。この筒体８は、下端が拡径部９に形成され、図４に示すように下端より拡径部９を含み途中までスリット１０が複数設けられて径方向に拡縮自在となっており、図３に示すように上方が筒状ステー７にピン１１で固定され、下端側が筒状ステー７の下端より下方に突出し、しかも拡径部９が前記装着孔２の縮径部３より下方位置として設けられている。従って、筒体８は、ピン１１にてステー７に固定されているので、ステー７と一緒に、即ち、ベッド柵６と一緒に上下動（進退）する。このピン１１の固定は、本例では図４に示すように２カ所での固定を示しているがこのピン１１の固定箇所はこれに限定されるものではなく、任意に選択できる。
【００２３】
前記中空の筒状ステー７には、図３に示すように操作軸１２がステー７内に設けた筒体８も貫通して進退自在に貫入されている。この操作軸１２の下端には、コーン状ストッパ１３がピン１４にて固着されて前記装着孔２より突出した筒体８下端の拡径部９に位置して設けられている。前記ステー７内には、操作軸１２を常に上方に付勢するばね１５が設けられている。従って、操作軸１２がばね１５で上方に付勢されていることにより、その下端に固設されたコーン状ストッパ１３は、筒体８下端の拡径部９において係止され、拡径部９を拡径方向に押圧して位置を保持している。ばね１５として本例では圧縮ばねを示している。
なお、操作軸１２の上端には、該操作軸１２を進退操作するための操作手段として、本例では押しボタン１６を示している。
【００２４】
次に、前記実施の形態の作用を図５（ａ）（ｂ）（ｃ）（ｄ）において説明する。ベッド柵６がベッドフレーム１に取付けられている状態では、ばね１５が操作軸１２を上方に付勢しているので、その下端に固着されているコーン状ストッパ１３も上方に引っぱられて筒体８下端の拡径部９において、該拡径部９を拡径する方向に押圧している。従って、該拡径部９は縮径することができず、装着孔２下端の縮径部３より径太の状態を維持し、ステー７を引き抜こうとしても、即ち、ベッド柵６を引き抜こうとしても、筒体８下端の拡径部が装着孔２下端の縮径部３に係止されて通過できず引き抜くことができず、図５（ａ）の状態を保持する。
【００２５】
そこで、この状態から図５（ｂ）に示すように操作軸１２をばね１５の付勢力に抗して下動させると（この操作は本例では押しボタン１６を押圧することで行う）、コーン状ストッパ１３も筒体８下端の拡径部９より下方に移動するので、スリット１０により拡縮自在となっている筒体８は、縮径可能となる。従って、筒体８の拡径部９も装着孔２下端の縮径部３を通過可能となるので、この状態で、即ち、操作軸１２を押し下げた状態でステー７を上方に引き抜くと、即ち、ベッド柵６を上方に引き抜くと、図５（ｃ）に示すように筒体８は拡径部９も含め上方に移動し、まず先行して筒体８が上方に移動すると装着孔２下端の縮径部３も、図５（ｃ）に示すように筒体８の肉厚の分だけ広い通路となるので、図５（ｄ）に示すようにそれに続くコーン状ストッパ１３も通過可能となり、ベッド柵６は引き抜き取り外すことができる。従って、操作軸１２を押し下げた状態で、ベッド柵６をベッドフレーム１に取り付けることができることも理解できる。
【００２６】
図６は、本発明の他の実施の形態を示す要部断面図である。本実施の形態は、前記実施の形態におけるばね１５を廃止し、それに代わり操作軸１２にねじ１７を設け、このねじ１７をステー７内に固着したナット１８に螺合したものであって、他は前記実施の形態と同様であるので、同一構成要素には同一符号を付して他の詳細な説明は省略する。
【００２７】
本実施の形態によれば、操作軸１２のねじ１７がステー７内に固着したナット１８に螺合しているので、操作軸１２を正逆に回動すると操作軸１２は進退する。従って、通常は、操作軸１２先端のコーン状ストッパ１３が筒体８下端の拡径部９に位置して該拡径部９を拡径する方向に押圧し、該拡径部９が縮径できないようにしているため、拡径部９は装着孔２下端の縮径部３より径太の状態が維持され、ステー７を引き抜こうとしても筒体８下端の拡径部９が装着孔２下端の縮径部３に係止されて通過できず引き抜くことができないが、操作軸１２を進出方向に回動させると、操作軸１２が下動し、それによりコーン状ストッパ１３も筒体８下端の拡径部９から下方に移動するので、スリット１０により拡縮自在となっている筒体８は、拡径部９も含め縮径可能となるので、拡径部９も含め装着孔２下端の縮径部３を通過可能となり、ステー７を上方へ引き抜くと、即ち、ベッド柵を上方に引き抜くと、筒体８は拡径部９も含め上方に移動し、まず先行して筒体８が上方に移動すると装着孔２下端の縮径部３も、筒体８の肉厚の分だけ広い通路となるので、それに続くコーン状ストッパ１３も通過可能となり、ベッド柵を引き抜き取外しできるし、また、挿入して取付けることもできる。従って、ベッド柵６の着脱が操作軸１２を回動させるという簡単な操作で実施することができる。
なお、本実施の形態では、操作軸１２を回動操作して進退させる操作部として、図６に示すように操作軸１２の上端に設けた６角レンチ２０の装着部１９を示している。
【００２８】
また、本発明のようなベッド柵の取付構造においては、通常は使用しないが（使用してもさしつかえはない）、緊急時にはベッド柵がさらに簡単、迅速に取り外せることが必要である。以下にこの緊急時に取り外しする場合の実施の形態を、図７乃至図１０にて説明する。この実施の形態は、前記実施の形態に併用するものである。
【００２９】
図７は、緊急時に取り外し可能とする実施の形態を示す要部断面図、図８（ａ）（ｂ）（ｃ）は、その作用を工程順に示した要部断面図であり、前記実施の形態と同一構成要素は同一符号を付して他の詳細な説明は省略する。
図７に示す実施の形態は、コーン状ストッパ１３が、操作軸１２の下端に移動可能に装着され、このコーン状ストッパ１３の側壁には、上端より縦方向２１ａに向かい途中より横方向２１ｂに折曲するピン孔２１が設けられ、操作軸１２より突出するピン２２が、横方向２１ｂのピン孔２１に位置するときは、コーン状ストッパ１３の上下動を規制し、縦方向２１ａのピン孔２１に位置するとコーン状ストッパ１３の下動が可能となるものである。
【００３０】
この構成によりベッド柵６の取付状態のときには、図８（ａ）に示すようにコーン状ストッパ１３は、ピン２２を横方向２１ｂのピン孔２１に位置させて位置の保持を確保することができるので、この時はコーン状ストッパ１３が筒体８下端の拡径部９に位置するので、ベッド柵６は引き抜くことができないが、図８（ｂ）に示すようにコーン状ストッパ１３を回動させ縦方向のピン孔２１にピン２２の位置を合わせると、コーン状ストッパ１３は下動が可能となり、従って、図８（ｃ）に示すようにコーン状ストッパ１３を下方に移動させたり、または下動させて取り外すことで、ベッド柵６を上方に引き抜くことができる。これにより緊急時にベッド柵６の取外しをより迅速、容易に実施することができる。なお、符号２３は、操作用の摘みである。
【００３１】
図９は、緊急時にベッド柵を取り外し可能とする他の実施の形態を示す要部断面図、図１０（ａ）（ｂ）（ｃ）は、その作用を工程順に示す要部断面図であり、前記実施の形態と同一構成要素には同一符号を付して他の詳細な説明は省略する。
図９に示す実施の形態は、前記コーン状ストッパ１３またはコーン状ストッパ１３を貫通した操作軸１２に、操作軸１２を引っぱったり、回動させて、操作軸１２およびコーン状ストッパ１３を下動させる摘み２５が設けられており、操作軸１２にラッチ機構２４が設けられている。
【００３２】
この構成により通常は、図１０（ａ）に示すようにコーン状ストッパ１３が筒体８下端の拡径部９に位置してベッド柵６は引き抜くことはできないが、図１０（ｂ）に示すように摘み２５により操作軸１２を引っぱったり、回動させて、操作軸１２を下動させ、コーン状ストッパ１３を筒体８下端の拡径部９から下方に引き下げることができ、従って、図１０（ｃ）に示すようにコーン状ストッパ１３を下方に移動させることで、ベッド柵６を上方に引き抜くことができる。これにより緊急時にベッド柵６の取外しをより迅速、容易に実施することができる。
【００３３】
この時、ラッチ機構２４が設けられているので、図１０（ｃ）に示すように操作軸１２が下動しラッチ機構２４部分が筒体８下端より外出すると拡大し筒体８下端に係止して上動をロックする。従って、この状態は、ベッド柵６を引き抜き取り外しできたり、挿入して取り付けることができる状態である。これによりベッド柵６を引き抜き取り外す時、または挿入し取り付ける時には、それが可能な状態に保持することができ、取り外し、取付の操作が容易となる。
【００３４】
なお、前記実施の形態は、本発明を制限するものではなく、本発明は要旨を逸脱しない範囲において種々の変形が許容される。例えば、操作軸１２には、操作軸１２の上下動（昇降動）や回動をロックして、このロックを解除しないと操作軸１２の上下移動操作（昇降操作）や回動操作ができないようにするロック機構を設けることは任意である。このロック機構は、従来公知の手段を採用し得る。
【産業上の利用可能性】
【００３５】
本発明のベッド柵は、介護施設などで患者が暴れるなどしてベッド柵をベッドフレームから取り外そうとしても、容易に取り外すことができず、一方、介護者等には、簡単操作にて速やかにベッドフレームから取り外すことができるという効果を有し、介護ベッド等のベッドに取り付けられて、就寝者や被介護者、或いは寝具などがベッド上から転落するのを防止するベッド柵等として有用である。
【図面の簡単な説明】
【００３６】
【図１】本発明の実施の形態を示す全体斜視図である。
【図２】本発明の実施の形態を示すベッド柵取付構造の要部正面図である。
【図３】本発明の実施の形態を示すベッド柵取付構造の要部断面図である。
【図４】本発明の実施の形態を示すベッド柵取付構造の要部分解斜視図である。
【図５】本発明の実施の形態にかかるベッド柵取付構造の着脱工程を、工程順（ａ）（ｂ）（ｃ）（ｄ）に示す要部断面図である。
【図６】本発明の他の実施の形態を示す要部断面図である。
【図７】緊急時に取り外し可能とする実施の形態を示す要部断面図である。
【図８】図７に示す緊急時に取り外し可能とする実施の形態の作用を、工程順（ａ）（ｂ）（ｃ）に示す要部断面図である。
【図９】緊急時に取り外し可能とする他の実施の形態を示す要部断面図である。
【図１０】図９に示す緊急時に取り外し可能とする実施の形態の作用を、工程順（ａ）（ｂ）（ｃ）に示す要部断面図である。
【符号の説明】
【００３７】
１  ベッドフレーム
２  装着孔
３  拡径部
４  取付孔
５  スリーブ
５ａ  フランジ部
５ｂ  カシメ部分
６  ベッド柵
７  筒状ステー
８  筒体
９  拡径部
１０  スリット
１１  ピン
１２  操作軸
１３  コーン状ストッパ
１５  ばね（圧縮ばね）
１７  ねじ
１８  ナット
２１  ピン孔
２１ａ  ピン孔の縦方向部分
２１ｂ  ピン孔の横方向部分
２２  ピン
２３、２５  摘み
２４  ラッチ機構
Ｂ  ベッド
【図１】
2008245950.tif 000003
【図２】
2008245950.tif 000004
【図３】
2008245950.tif 000005
【図４】
2008245950.tif 000006
【図５】
2008245950.tif 000007
【図６】
2008245950.tif 000008
【図７】
2008245950.tif 000009
【図８】
2008245950.tif 000010
【図９】
2008245950.tif 000011
【図１０】
2008245950.tif 000012